(57)【特許請求の範囲】
【請求項１】
菜園（１）に生育の早い種（２）と、生育の遅い種（３）を同時に植えるための混合して種子を植えるシートであって、  生育の早い種（２）は、収穫するまでの期間が短く、かつ、収穫した後で土に穴が開いて耕したようになる種類であり、  生育の遅い種（３）は、収穫するまでの期間が長い種類であり、  当該シートの中央に当該生育の遅い種（３）を固定し、当該生育の遅い種（３）の周囲に当該生育の早い種（２）を固定したことを特徴とする混合して種子を植えるシート。
【発明の詳細な説明】
【技術分野】
【０００１】  本発明は、生育の遅い植物を育てる時に、雑草が生えるので、雑草の代わりに生育の早い種を撒くことで、土地が有効に使える混合して種子を植えるシートに関するものである。
【背景技術】
【０００２】  従来の菜園の播種は、古来から人手を掛けて丁寧に行われていた。しかしながら、広大な面積に播種するのは、大きな労力を必要とした。また、播種した種が成長したとき、その発芽した芽を間引きしないとならない。その理由は、発芽した芽は、全部が同じ種類であるため、取る養分が同じであるため、間引きをして、１本の植物に養分を与えていた。【０００３】  また、播種シートを用いて、種子から発芽、生育する間隔と、地中においては適宜に分解されるシート状の素材を用いるものがあった。それは、腰を屈めたような姿勢で、種蒔きの作業をしていたが、工場、または倉庫の机の上で作業するため、腰痛の心配が無かった。
【先行技術文献】
【特許文献】
【０００４】
【特許文献１】特開２００２−３０５９１４
【特許文献２】特開２００８−１６７６７３
【特許文献３】特開２００５−１９
【特許文献４】特開２０００−１０６７１４
【発明の概要】
【発明が解決しようとする課題】
【０００５】  従来の菜園の、生育の早い植物は、雑草と同じ速度で成長するため、雑草はとらなくて良かった。しかし生育の遅い植物は、生育の遅い植物が成長するまでに、回りに生えた雑草をこまめに取らないと、雑草の成長が早いため、雑草だらけになっていた。【０００６】  そこで、本発明の混合して種子を植えるシートは、生育の早い種（２）と生育の遅い種（３）を同時に撒くことで、雑草が生える前に生育の早い種（２）の植物が成長し、収穫できる。そのため、雑草の変わりに、生育の早い種（２）の植物を植える。そして、収穫する作業で、土地が柔らかく耕したようになる。その種を撒く作業は、生育の早い種（２）と生育の遅い種（３）を、シート（４）に固定し、固定する作業は、倉庫の机の上または工場内ですることで、楽に作業できる混合して種子を植えるシートを提供するものである。
【課題を解決するための手段】
【０００７】  上記目的を達成するために、本発明の混合して種子を植えるシートは、菜園（１）に生育の早い種（２）と、生育の遅い種（３）を同時に植えるため、その生育の早い種（２）と生育の遅い種（３）をシート（４）に固定し、そのシート（４）を菜園（１）に被せることで目的を達成した。
【発明の効果】
【０００８】  本発明の混合して種子を植えるシートは、次のような効果がある。（イ）生育の遅い植物を、育てる時に雑草が生えるから、その雑草の変わりに生育の早い植物を植えるものである。（ロ）したがって、雑草が生える隙間がない。（ハ）生育の早い種の植物を収穫すると、その土地に根が張っていた分、土地を耕すことになる。（ニ）生育の遅い種の植物は大きくなるので、生育の早い種の植物の収穫で広くなる。（ホ）混合種子は肥料の取り合いを防ぐため、その種と同じ系統の物は避けると良い。
【図面の簡単な説明】
【０００９】
【図１】図は、シートの平面図である。
【図２】図は、シートの断面図である。
【図３】図は、１か月後の菜園の平面図である。
【図４】図は、１か月後の菜園で、図３のＡ−Ａの断面図である。
【図５】図は、３か月後の菜園の平面図である。
【図６】図は、３か月後の菜園で、図５のＢ−Ｂの断面図である。
【図７】図は、５か月後の菜園の平面図である。
【図８】図は、５か月後の菜園で、図７のＣ−Ｃの断面図である。
【発明を実施するための最良の形態】
【００１０】  本発明の混合して種子を植えるシートの、生育の早い種（２）と生育の遅い種（３）を一緒に撒くのが本発明の目的だが、生育の早い種（２）と生育の遅い種（３）の間に、普通の生育の種（５）を撒くこともできる。その生育の早い種（２）の植物は、収穫できるまでの期間が短く、生育の遅い種（３）の植物は、収穫できるまでの期間が長いという意味で、成長の速度は殆ど変わらない。そして、生育の早い種（２）と普通の生育の種（５）と生育の遅い種（３）を、同時にシート（４）に撒くものである。【００１１】  まず最初に、シート（４）の上に生育の早い種（２）を、シート（４）に適度な間隔で固定する。そのとき、撒く種を複数植えて、成長の良い大きくなったものだけを残し、取り除く方法もある。【００１２】  次に普通の生育の種（５）を撒くが、普通の生育の種（５）の植物は、収穫までの期間が長いので、その分大きく育つ。そのため、広い土地が必要とされ、植える間隔を広く取る。したがって、先にシート（４）に固定した、生育の早い種（２）と重なる所は、生育の早い種（２）の方を取り除いて、普通の生育の種（５）の種を撒く。【００１３】  その次に、生育の遅い種（３）は、収穫までの期間が遅いので、その分大きく育つため、その分広い土地が必要とされ、植える間隔をもっと広く取る。したがって、先にシート（４）に固定した、普通の生育の種（５）または生育の早い種（２）と重なる所は取り除く。【００１４】  そして、各種の位置が決まったら固定紙（４ａ）を上から被せ、撒いた種が移動しないようにシート（４）と固定紙（４ａ）を貼着する。または、シート（４）と固定紙（４ａ）を機械的に織り込む。それは、ティッシュペーパーのように２枚の紙をくっつける、技術または、接着剤による接着が考えられる。したがって、シート（４）の生産は、工場の中や、倉庫の机の上で生産すると、菜園（１）で種を撒くときのように腰を、屈めて作業することがなく、また正確な位置に固定できる。【００１５】  そうしてできたシート（４）は、畑（６）に持って行き、畑（６）はそのシート（４）を被せるのに、充分足りる畑（６）の幅と、シート（４）を並べて置く時の、縦の幅を耕して、水を散布しておく。そして、その菜園（１）の上にシート（４）を並べて、菜園（１）を覆い、その後覆土（６）して、さらに水を散布して発芽を待つ。【００１６】  １か月後に、生育の早い種（２）を撒いたところが成長し、その中でも生育の早い物が収穫できる。そして、１か月〜３か月の間に、完全に生育の早い種（２）の植物を収穫できる。その収穫した後は、根が張っていたので、そこを耕したように土が柔らかくなる。そして、柔らかくなった所へ追肥すると良い。【００１７】  ３か月後に、普通の生育の種（５）を撒いたところの植物が成長し、収穫できる。そして、３か月〜５か月の間に、完全に収穫できる。その収穫した後は、根が張っていたので、そこを耕したように土が柔らかくなる。その後、その穴の中に追肥する。【００１８】  ５か月後またはアスパラガスなどは３年後に、生育の遅い種（３）を撒いたところが成長し、収穫できる。そのころ菜園（１）の地面には、雑草が生えるが、生育の遅い種（３）の植物の根は、充分下に根が張っているので、雑草が生えても、それ程影響は無い。したがって、生育の遅い種（３）の雑草を生やさないために、生育の早い種（２）の植物を植えるため、雑草が育つ代わりに、生育の早い種（２）の植物が育ち、それを収穫できる。
【実施例１】
【００１９】  本発明の混合して種子を植えるシートを、図面を参照して説明する。  図１は、一辺が幅５０センチの、正方形のシート（４）であり、その菜園（１）に被せるシート（４）の平面図ある。その図は、生育の早い種（２）のラディッシュ（別名ハツカダイコン）［アブラナ科］の植物を（・）で現し、横を５センチ隔間に７列置く。そして、縦も５センチ間隔に７列置き、シート（４）の上に固定する。したがって、全部で４９か所、ラディッシュの種を並べる。並べる種は、１か所に３個づつ撒いて、成長のわるい物を間引きする方法もあるが、間引きするのは面倒でもある。【００２０】  次に普通の、生育の種（５）のホウレン草［アカザ科］を（×）で現し、１０センチ間隔で９個を植える。したがって、生育の早い種（２）と重なるところは、生育の早い種（２）の方を撤去するので、ラディッシュは全部で４０か所になる。この時、カブ［アブラナ科］の作物を植えると、生育期間がホウレン草と同じであるが、ラディッシュの［アブラナ科］と同じ系統の［アブラナ科］同志なので、同じ養分をとるので避ける方が良い。【００２１】  その次に生育の遅い種（３）の、オクラの［アオイ科］を（＊）で現し、３０センチ間隔で植える。したがって、普通の生育の種（５）と重なるところは、普通の生育の種（５）の方を撤去する。したがって、ホウレン草は全部で８か所になり、図１で現している。それを１列目から順に説明すると、１列目は（・・・・・・・）となり、２列目は（・×・×・×・）となり、３列目は（・・・・・・・）となり、４列目は（・×・＊・×・）となり、５列目は（・・・・・・・）となり、６列目は（・×・×・×・）となり、７列目は（・・・・・・・）となる。そのシート（４）を複数並べることで、菜園（１）を作る。【００２２】  図２は、シート（４）を菜園（１）の上に被せて、その上に覆土（６）をした断面図で、真ん中から切ったところである。その図のように、シート（４）の上に、並べ終わった種を、固定紙（４ａ）で挟み、種を固定する。シート（４）と固定紙（４ａ）は、ティッシュペーパーのように水で溶ける材質である。そのシート（４）を菜園（１）に被せる時は、菜園（１）に堆肥をして耕し、幅５０センチの畝を作る。【００２３】  そして、充分に水を撒いたら、一辺が５０センチのシート（４）を、畝に上に乗せる。そして、その上に覆土（６）を被せて、さらに水を撒いて、発芽するためのスイッチを入れる。発芽は、吸水が必要であり、その他、温度、光条件、植物ホルモンなどが重要であるが、吸水が最も大事なスイッチである。その時に、石灰をシート（４）に含ませておくと、石灰を撒く手間が省ける。【００２４】  図３は、１か月後の菜園（１）の平面図である。その図のシート（４）と固定紙（４ａ）は溶けて無くなり、生育の早い種（２）のラディッシュの作物を、５センチ間隔に育ったところである。その固定紙（４ａ）は、大きさを現す基準として、図５と図７にも書いてある。そして、成育の早いラディッシュは、収穫できる程度に成長している。そして、１か月〜３か月の間に、生育の早い種（２）のラディッシュは、収穫が終わる。ラディッシュの収穫した後は、ラディッシュは約５センチぐらい深く根を���っているので、ラディッシュの収穫すると、約５センチの土地を耕したように、穴と、その上には盛り土をしたように、柔らかい土が残る。【００２５】  次に、普通の生育の種（５）のホウレン草は、１０センチ間隔で植え、生育の早い種（２）のラディッシュと同じ位に大きく成長している。そしてホウレン草は、葉が２０センチほどに成長するまで、後２か月かかる。ホウレン草は１０センチ間隔で植えているから、５センチのラディッシュの間に、普通の生育の種（５）のホウレン草を植えるので、全部で９本植えることになる。したがって、４９か所ラディッシュを植えていたが、９か所ホウレン草を植えるために取り除いたため、全部で４０か所になる。【００２６】  その次に、生育の遅い種（３）のオクラは、真ん中のホウレン草の種を取り除き、変わりに植えた物である。そして、成長は生育の早い種（２）のラディッシュと、普通の生育の種（５）のホウレン草と、殆ど同じように成長しているが、生育の遅い種（３）のオクラは、１メートルぐらいの背丈になる、４か月後ぐらいから収穫できる。そして、９か所普通の生育の種（５）のホウレン草を植えていたが、１か所生育の遅い種（３）のオクラを植えるために取り除いたため、普通の生育の種（５）のホウレン草は全部で８か所になる。【００２７】  図４は、図３のＡ−Ａの断面図であり、その図のように、生育の早い種（２）のラディッシュも、普通の生育の種（５）のホウレン草も、生育の遅い種（３）のオクラも同じように根が成長している。【００２８】  図５は、３か月後の菜園（１）の平面図ある。その図の、固定紙（４ａ）は水に分解されてなくなっているが、説明するのには有った方が説明し易ので、その範囲を固定紙（４ａ）とする。そして、生育の早い種（２）のラディッシュは収穫したので、収穫した後は穴が開いて、土を耕したようになっている。また、生育の早い種（２）のラディッシュを収穫するときに、雑草も取り除く。【００２９】  次に、普通の生育の種（５）のホウレン草は、葉が２０センチほどに成長しているので、収穫する。早い物では、２か月ぐらいから収穫でき、遅い物は６か月ぐらいまで収穫できる。レジャー菜園の場合、一度に成長しても食べるのに困るから、なるべくアンバランスに成長することが望ましい。【００３０】  その次に、生育の遅い種（３）のオクラは、５０センチぐらいに成長して、実を付け出す。５０センチぐらいの大きさに成長すると、多少普通の生育の種（５）のホウレン草と被さる所もあるが、ホウレン草は地表を這うように成長し、オクラは木のようになるから、さほど影響は無い。【００３１】  図６は、図５のＢ−Ｂの断面図である。その図のように、生育の早い種（２）のラディッシュは無く、普通の生育の種（５）のホウレン草も、生育の遅い種（３）のオクラも同じように根が成長している。生育の早い種（２）のラディッシュの生えていた所は、普通の生育の種（５）の、ホウレン草の葉の下になっている。【００３２】  図７は、５か月後の菜園（１）の平面図ある。その図は、生育の早い種（２）のラディッシュは収穫したので、収穫した後は穴が開いて、土を耕したようになっていたが、その跡はもう無い。【００３３】  次に、普通の生育の種（５���のホウレン草は、葉が２０センチほどに成長しているので、収穫した後は穴が開いて、土を耕したようになっている。そこへ、追肥をして生育の遅い種（３）のオクラを、さらに大きくする。【００３４】  その次に生育の遅い種（３）の、オクラは１００センチぐらいに成長して、実を付け出す。夏の７月〜９月頃は陽射しも強くなり、菜園（１）も水が切れるが、比較的根が下に張っているので、ラディッシュやホウレン草などよりは、水の散布をしなくて良い。【００３５】  図８は、図７のＣ−Ｃの断面図である。その図のように、生育の早い種（２）のラディッシュは無く、普通の生育の種（５）のホウレン草も、収穫した後で穴が開いて、土を耕したようになっている。そして生育の遅い種（３）のオクラは、１０月ごろまで収穫できる。
【実施例２】
【００３６】  その他の組み合わせとして、小松菜、ゴボウ、アスパラガスを植える場合を説明する。生育の早い種（２）の、小松菜の［アブラナ科］の作物の横を、１０センチ隔間に５列置き、そして縦も１０センチ間隔に５列置き、シート（４）の上に固定する。したがって、全部で２５か所、小松菜を植える。【００３７】  次に普通の生育の種（５）のゴボウ［キク科］を、２０センチ間隔で植える。したがって、生育の早い種（２）と重なるところは、生育の早い種（２）の方を撤去し、小松菜は４本減ることになる。【００３８】  その次に生育の遅い種（３）の、アスパラガス［ユリ科］を真ん中にで植える。したがって、生育の早い種（２）の小松菜と重なるところは撤去するので、小松菜は２０本になる。それを１列目から順に説明すると、生育の早い種（２）を（・）とし、普通の生育の種（５）を（×）とし、生育の遅い種（３）を（＊）とした場合、１列目は（・・・・・）となり、２列目は（・×・×・）となり、３列目は（・・＊・・）となり、４列目は（・×・×・）となり、５列目は（・・・・・）となる。そのシート（４）を複数並べることで、菜園（１）を作る。【００３９】  並べ終わった、シート（４）の上に固定紙（４ａ）で、種を固定する。シート（４）と固定紙（４ａ）は、ティッシュペーパーのように水で溶ける材質である。そのシート（４）を、菜園（１）に被せる時は、菜園（１）に堆肥をして耕し、幅６０センチの畝を作る。そして、充分に水を撒いたら、一辺が６０センチのシート（４）を畝に上に乗せる。そして、上に覆土（６ａ）を被せて、さらに水を撒いて、発芽するためのスイッチを入れる。【００４０】  生育の早い種（２）の小松菜の作物は、１０センチ間隔に育ち、早い物は収穫できる程度に成長している。そして、２か月〜３か月の間に生育の早い種（２）の小松菜は収穫が終わる。小松菜の収穫した後は、約１０センチぐらい深く根を張っているので、小松菜の収穫すると、約１０センチの土地を耕したように、穴と、その上には盛り土をしたように柔らかい土が残る。【００４１】  次に普通の生育の種（５）のゴボウは、２０センチ間隔で植え、生育の早い種（２）の小松菜と同じ位に大きく成長しているが、ゴボウは葉が２０センチほどに成長するまで、後４か月〜７か月かかる。ゴボウは、２０センチ間隔で植えているから、１０センチの小松菜の間に、普通の生育の種（５）のゴボウを植えるので、全部で４本植えることになる。したがって、２５か所小松菜を植えていたが、４か所ゴボウを植えるために取り除いたため、全部で２１か所になる。【００４２】  その次に生育の遅い種（３）のアスパラガスは、真ん中の小松菜の種を取り除き、変わりに植えた物である。そして、成長は生育の早い種（２）の小松菜と、普通の生育の種（５）のゴボウと、殆ど同じように成長しているが、生育の遅い種（３）のアスパラガスは、１メートルぐらいの背丈になり、５本ぐらいのアスパラガスの親木が育つと、３年後ぐらいから収穫できる。したがって、２１か所の小松菜を植えていたが、１か所アスパラガスを植えるために取り除いたため、全部で２０か所になる。
【符号の説明】
【００４３】  １  菜園        ２  生育の早い種          ３  生育の遅い種  ４  シート      ４ａ  固定紙          ５  普通の生育の種  ６  覆土 
【図１】
0005763357.tif 000002
【図２】
0005763357.tif 000003
【図３】
0005763357.tif 000004
【図４】
0005763357.tif 000005
【図５】
0005763357.tif 000006
【図６】
0005763357.tif 000007
【図７】
0005763357.tif 000008
【図８】
0005763357.tif 000009